(57)【特許請求の範囲】
【請求項１】
ホース（４）の内径にほゞ等しい外径を有する剛直な管部（２）の一端部外周に、管部（２）の端末に向かって外径を徐々に拡大するテーパー面（３ａ）を有する膨出部（３）を形成し、その管部（２）の外側にリング（５  ）を嵌合し、当該リング（５）の内面に前記テーパー面（３ａ）に適合するテー  パー面（５ａ）を形成し、前記管部（２）の他端部外周に段部（１０）を形成す  ると共に、前記リング（５）と段部（１０）との間の管部（２）の外側に筒状のスペーサーリング（８）を介装し、当該スペーサーリング（８）が管部（２）の側方から嵌合離脱可能であることを特徴とする、ホースの継手
【発明の詳細な説明】
【０００１】
【発明の属する技術分野】
本発明はホースの継手に関するものであって、特に消防用ホースの継手に関し、消火現場において簡単に消防用ホースの端末に結合することのできる継手の構造に関するものである。
【０００２】
一般に消防用ホースは、通常２０ｍの長さのホースの両端に継手を結合した状態で保管され、火災が発生したときにはそのホースを現場に搬送し、現場においては、ポンプ車から筒先までの距離に応じて前記継手を使用してホースを必要な本数接続し、放水することが行われている。
【０００３】
しかしながら大地震に伴って大規模な火災が発生したときには、消火栓や防火水槽などの通常の消火活動に使用される水源が、地震による損壊により使用できなくなるケースがある。
【０００４】
従って火災現場から離れた海、池、川などの水源から、長距離に亙ってホースを敷設して送水する必要があるが、長い距離に亙って多数のホースを接続しなければならず、またホースの本数が必要数に不足し、その調達のために無駄に時間を浪費することもある。阪神淡路大震災においてもかかる事態により、小規模であった火災が大火災に発展したことは広く知られている。
【０００５】
そこでかかる大火災に対応するシステムとして、数百ｍに及ぶ長尺の消防用ホースを用意しておき、ポンプから筒先まで所望の経路に沿ってその消防用ホースを敷設し、然る後適当な位置でホースを切断し、その端末に火災現場において継手を結合して、当該継手を使用してポンプ車及び筒先とホースとを接続し、放水することが考えられる。
【０００６】
【従来の技術】
上述のような消火システムを実施するためには、特別な設備や工具を必要とせず、火災現場において迅速にホースと継手とを結合することができ、その結合部が消防用ホースとして必要な耐圧性能を満たし、且つホースを動かしたり引っ張ったりしてもその結合が外れたり耐圧性能が低下したりすることがないものであることが求められる。
【０００７】
一般に消防用ホースと継手との結合は、継手の管部にホースを被せ、その外側から針金を巻回し、金属バンドで締め付け、又は金属スリーブを塑性変形させて締め付けるなどの手段により行われる。
【０００８】
またゴムホースなどと継手との結合構造としては、例えば実公昭３１−１５８５７号公報などに示されるものが知られている。このものは図４に示すように、継手１の管部２に膨出部３を形成し、その外側にホース４を被せ、さらにその外側にリング５を嵌合して、膨出部３とリング５との各テーパー面３ａと５ａとの間にホース４を挟圧して結合するものである。
【０００９】
【発明が解決しようとする課題】
前記一般の消防用ホースにおける結合構造は、耐圧性能が高くまた長期間の使用に耐えるものである反面、その結合に高度の熟練を要したり、特別な工具を必要とするものであって、事が起こってから火災現場において迅速に結合する構造としては不適切である。
【００１０】
また前記ゴムホースの結合構造は、ゴムホースのように肉厚が厚く、且つ伸縮性に富むホースについては好適であるが、消防用ホースのように薄く且つ伸縮性に乏しいホースについては適用しにくいものであった。
【００１１】
すなわちゴムホースは弾性を有するゴムが主体であり、且つ補強層も径の拡大縮小が可能なブレードで構成されるので、図５（ａ）に示されるように、ホース４の内径ａより大きい外径ｂを有する膨出部３をホース４に挿入し、ホース４の径が拡大された状態で、膨出部３とリング５との間にゴムの弾性を利用して強固に挟圧することが可能である。
【００１２】
しかしながら消防用ホースの場合は、たて糸とよこ糸とを筒状に織成したジャケットが主体となり、ゴムなどのライニングも極めて薄いため、径を拡大することが殆ど不可能である。
【００１３】
そのため管部２の膨出部３とリング５との各テーパー面３ａ、５ａの間にホース４を挟圧する構造では、図５（ｂ）に示すように膨出部３の最大径がホースの内径ａにほゞ一致することとなり、膨出部３におけるテーパー面３ａの最小径ｃは  ホースの内径ａよりも小径とならざるを得ない。
【００１４】
そのためその膨出部３とリング５との挟圧部においては、ホース４の内径はａからｃにまで細く絞られることとなり、それによってホース４に皺がよって適切に挟圧できず、継手１が抜けたり漏水したりする原因となる。
【００１５】
さらに図５（ｃ）に示されるように、リング５の最小内径ｄを可能な限り大きいものとし、ホース４を膨出部３とリング５との極く短い部分で挟圧せしめることにより、ホース４が過度に細く絞られることがなく、皺がよるのを防止することができると共に、水圧によって継手１がホース４から抜けたり、漏水したりすることがない。
【００１６】
しかしながらこの構造では、膨出部３とリング５とがホース４をその厚みを介して挟圧するのであり、且つホース４が有効に挟圧される限界までリング５の最小内径ｄを大きいものとするのが好ましく、そうするとリング５の最小内径ｄは膨出部３の最大外径より大きくなる。
【００１７】
そのため継手１とホース４とを結合する操作において、リング５を歪んで嵌合すると、往々にして図５（ｄ）に示されるように、リング５の一部が膨出部３を乗り越えて、曲がった状態で結合されることがある。
【００１８】
このような状態になると、図面における下側においては膨出部３とリング５との間にホース４が挟圧されているが、上側においては挟圧機能は働かず、片持ちの状態で結合されることとなるのである。このような状態では、ホース４は継手１にその一部しか支持されておらず、水圧により継手１が抜けたり、挟圧されていない部分から水が漏出したりする可能性がある。
【００１９】
また前記ゴムホースの場合には、膨出部３とリング５との間に挟圧されてホース４の肉が圧縮され、強固に挟圧されて緩むことがないのであるが、消防用ホースはゴムホースのようなゴム弾性を有しないため、リング５が歪むことなく真っ直ぐに嵌合されたとしても、僅かな外力で結合が緩み、継手１がホース４から外れたり、緩んだ結合を再度挟圧したときにリング５が歪んで結合されたりする可能性がある。
【００２０】
本発明はかかる事情に鑑みなされたものであって、大規模火災などに際してその火災現場において容易に且つ迅速に継手１をホース４に結合することができ、且つその結合に際してリング５が歪むことなく、また結合部が緩んだり抜けたりすることがなく、確実な結合状態を維持することのできる継手を提供することを目的とするものである。
【００２１】
【課題を解決するための手段】
而して本発明は、ホースの内径にほゞ等しい外径を有する剛直な管部の一端部外周に、管部の端末に向かって外径を徐々に拡大するテーパー面を有する膨出部を形成し、その管部の外側にリングを嵌合し、当該リングの内面に前記テーパー面に適合するテーパー面を形成し、前記管部の他端部外周に段部を形成すると共に、前記リングと段部との間の管部の外側に筒状のスペーサーリングを介装し、当該スペーサーリングが管部の側方から嵌合離脱可能であることを特徴とするものである。
【００２２】
【発明の実施の形態】
以下本発明の実施の形態を図面に従って説明する。図１及び図２は本発明のホースの継手１の一形態を示すものであって、ホース４ａ，４ｂにそれぞれ雌継手１ａ及び雄継手１ｂが結合され、その雌継手１ａと雄継手１ｂとを結合することにより  、ホース４ａ，４ｂを接続するようになっている。
【００２３】
而して継手１は継手本体６の後部に管部２が結合され、その管部２の後端部外周に膨出部３が形成されており、その膨出部３の前部には徐々に径を縮小するテーパー面３ａが形成されている。
【００２４】
リング５はその内面に、前記膨出部３のテーパー面３ａに適合するテーパー面  ５ａが形成され、その最大径部に連続して形成された円筒面にホース４の抜け方  向への移動を阻止する筍状の凹凸条７が形成されている。
【００２５】
そしてこのリング５の最小内径は、前記膨出部３の最大外径よりも大きくなっており、リング５と膨出部３との間にホース４が介在することにより、リング５が膨出部３から抜けることなく、そのリング５と膨出部３との間にホース４を挟圧するようになっている。
【００２６】
また８は継手１の結合部とリング５との間に介装されたスペーサーリングである。当該スペーサーリング８は、筒体９の一端が前記継手本体６と管部２との段部１０に係止され、他端がホース４を挟圧したリング５の端面に接近している。そしてそのスペーサーリング８は筒体９の一部が軸方向に切り開かれており、継手１の管部２に側方から嵌合するようになっている。
【００２７】
先の例においては、雌継手１ａ及び雄継手１ｂの例として、消防用に最も汎用されている三鉤式と呼ばれる形式の継手を示しているが、本発明は継手１とホース４との結合構造に特徴を有するものであり、継手同士の結合形式は三鉤式に限られるものではない。
【００２８】
例えば図３は本発明のホースの継手１の実施の他の形態を示すものである。この例において雄継手１ｂはその先端部外周に雄ねじ１１が刻設され、雌継手１ａの先端部には内面に雌ねじ１２を刻設したナットリング１３が回転自在に嵌合されており、ナットリング１３を雄ねじ１１に螺合して雄継手１ａと雌継手１ｂとを結合するようになっている。
【００２９】
またこの例におけるスペーサーリング８は、その先端内周に継手１の段部１０に刻設された係止溝１４に係止する係止リブ１５が形成され、内面に段部１０とリング５との間に介装される厚肉部１６を形成した筒体１７を二つ割りに分割してなり、その分割片１７ａ，１７ｂを継手１の管部２の外側から嵌合して突き合わせ、外周に形成された環状溝１８にテープ１９などを巻回して結紮し、分割片１７ａ，１７ｂを組み合わせた筒体１７を形成している。
【００３０】
また本発明の継手１としてはさらに他の形態のものを使用することもでき、さらに単一の筒状の継手部材の両端に、本発明によるホース４との結合構造を適用することも可能である。
【００３１】
【作用】
本発明においては、継手１の管部２の膨出部３をホース４の端末に挿入し、そのホース４の外側にリング５を嵌合する。そして段部１０とリング５との間の管部２に、側方からスペーサーリング８を嵌合する。
【００３２】
このとき図１及び図２の形態においては、スペーサーリング８の切り開き部を大きく開いて管部２の側方から被せて嵌合し、また図３の形態においては、二つ割りになった分割片１７ａ，１７ｂを管部２の外側から被せて互いに突き合わせ、テープ１９などで結紮する。
【００３３】
スペーサーリング８によりリング５は管部２の後部に押され、当該リング５と膨出部３とのテーパー面３ａ，５ａの間にホース４が挟圧される。そしてスペーサーリング８によりリング５が前方に偏倚するのを阻止し、ホース４と継手１との結合が緩むことがないのである。
【００３４】
さらにホース４の外側にリング５を嵌合する際に、図４（ｄ）に示すようにリング５が歪んで嵌合されていた場合には、リング５の下部がスペーサーリング８により後方に押され、これに伴って膨出部３を乗り越えていたリング５の上部が引き戻されて歪みのない真っ直ぐな状態に復帰し、その状態でホース４を挟圧することとなる。
【００３５】
そして膨出部３のテーパー面３ａとリング５のテーパー面５ａとの間にホース４が挟圧され、且つその挟圧位置はテーパー面３ａにおける最大径部に近い位置と  なり、その位置で歪みがなく真っ直ぐに挟圧することとなるので、その挟圧位置でホース４が細く絞られて皺がよるようなことはない。
【００３６】
さらに前述のようにリング５の円筒面に凹凸条７を形成することにより、内圧により径膨脹を生じたホース４の外面が、円筒面に圧接されて凹凸条７に食い込み、ホース４に継手１から抜ける方向に力が加わったときには、そのホース４に凹凸条７が食い込んで、リング５にもホース４と同方向の力が作用し、そのリング５と膨出部３との間にホース４をより強く挟圧することとなり、ホース４の抜けを有効に防止することができる。
【００３７】
【発明の効果】
従って本発明によれば、火災現場などにおいて継手１とホース４とを迅速に且つ確実に結合することができると共に、スペーサーリング８によりリング５によるホース４の挟圧が緩むのを防止し、継手１がホース４から抜けることがなく、漏水が生じることもない。
【００３８】
しかも結合に際してリング５が多少傾いて取り付けられた場合においても、スペーサーリング８を嵌合することによりそのリング５の傾きを補正し、常に歪みのない真っ直ぐな状態でホース４を挟圧するので、膨出部３とリング５とによるホース４の挟圧範囲が短くても、リング５の一部が膨出部３を乗り越えることがなく、確実にホース４を挟圧することができる。
【００３９】
なお本発明の継手は前述のように、大規模火災などにおいて、長尺の消防用ホースを所要の経路に沿って敷設し、然る後適当な箇所でそのホースを切断し、本発明の継手１を結合して接続するのに適している。
【００４０】
かかる使用方法においては、通常の消防用ホースの使用形態と異り、使用期間が限られており、また頻繁に使用と撤収を繰り返すこともなく、敷設された位置から殆ど移動することもなく定位置で使用されることが多く、本発明のような簡便な結合構造によっても、十分に使用に耐える。
【００４１】
しかしながら上述のような使用を終了した後は、その消防用ホースを本発明の継手１が結合したままで撤収して、次回の使用に備えることはできない。かかる使用形態においては、使用の都度使用される一本のホース４の長さが一定しないからである。
【００４２】
従って継手１をホース４から取り外して別個に保管する必要があるが、本発明の継手１はホース４からの取り外しも容易である。またかかる使用後の長尺の消防用ホースは、十分に長いものはそのまま次回の使用に備えて長尺のまま保管することもでき、またある程度短く切断されたものは、改めて定尺に切断してその両端に通常の消防用ホース用の継手を結合し、通常の消防用ホースとして使用することができる。
【００４３】
また本発明によれば、継手１の不使用時には例えば図６に示すように、継手１の管部２をリング５に貫通し、当該リング５の後方の管部２の外側にスペーサーリング８を嵌合しておくことにより、リング５及びスペーサーリング８を継手１と一体にして保管・輸送することができ、リング５やスペーサーリング８を紛失する恐れがない。
【図面の簡単な説明】
【図１】本発明の継手を示すものであって、（ａ）は中央縦断面図であり、（ｂ）は主要部の拡大中央縦断面図である。
【図２】本発明の継手の斜視図
【図３】本発明の継手の他の形態を示すものであって、（ａ）は中央縦断面図であり、（ｂ）は（ａ）におけるｂ−ｂ断面図である。
【図４】従来のゴムホースの継手の半裁側面図
【図５】図３の継手にホースを結合した状態を示すものであって、（ａ）はゴムホースを結合した状態を示し、（ｂ）は消防用ホースを結合した状態を示し、（ｃ）は（ｂ）においてリングの内径が大きい場合を示し、（ｄ）は（ｃ）の継手においてリングが傾いて結合された状態を示す。
【図６】本発明の継手の不使用状態を示す側面図
【符号の説明】
１  継手
２  管部
３  膨出部
３ａ  テーパー面
４  ホース
５  リング
５ａ  テーパー面
８  スペーサーリング
９  筒体
１０  段部
【図１】
0003544361.tif 000002
【図２】
0003544361.tif 000003
【図３】
0003544361.tif 000004
【図４】
0003544361.tif 000005
【図５】
0003544361.tif 000006
【図６】
0003544361.tif 000007